(57)【要約】【課題】目的のページを素早く開くことができ、しかも書籍等からのはみ出し部分が少なく、体裁が良く、さらに、脱落しにくい付箋を提供すること。【解決手段】この発明の付箋は、付箋本体１の一端側の裏面に剥離・再接着可能な感圧性接着剤層１ａが設けられているとともに、付箋本体１の他端側に厚肉部２が設けられているものとしている。また、この発明の付箋は、前記厚肉部２に芯材５が挿入されているものとしたり、付箋本体１を透明とすることにより、付箋本体１を貼り付けた上から書籍等４の記載内容が透けて見えるようにしたり、付箋本体１の裏面のほぼ全体に感圧性接着剤層１ａを設けたものとしたりすることができる。【選択図】  図３
2004154972.tif 000002
【特許請求の範囲】
【請求項１】
付箋本体（１）の一端側の裏面に剥離・再接着可能な感圧性接着剤層（１ａ）が設けられているとともに、付箋本体（１）の他端側に厚肉部（２）が設けられていることを特徴とする付箋。
【請求項２】
厚肉部（２）に芯材（５）が挿入されている請求項１記載の付箋。
【請求項３】
付箋本体（１）を透明としている請求項１又は２記載の付箋。
【請求項４】
付箋本体（１）の裏面のほぼ全体に感圧性接着剤層（１ａ）を設けたものとしている請求項１、２又は３記載の付箋。
【発明の詳細な説明】
【０００１】
【発明の属する技術分野】
この発明は、ファイルされた書類、手帳や日記帳を含むノート類、カタログ誌を含む書籍等（以下、書籍等という）の印を付したいページに、一部を書籍等の外縁よりはみ出させた状態で貼り付けて使用する付箋に関するものである。
【０００２】
【従来の技術】
従来の付箋は、短冊状に形成された紙片やプラスチック片からなるものであり、裏面には印を付したいページに貼り付けるための剥離・再接着可能な感圧性接着剤層が設けられたものであった（例えば特許文献１参照）。
【０００３】
この付箋は、書籍等の印を付したいページに書籍等の外縁より一部をはみ出させた状態で貼り付けることにより、目印となり、すぐに目的のページを開くことができるようにしたものであった。
【０００４】
しかし、従来の付箋は、図１０に示したように、付箋８の他端側を書籍等９から長くはみ出させ、付箋８のはみ出した他端側を指でつまんで目的のページを開くようにしていたため、指でつまむ必要があり、目的のページを素早く開くことができないだけでなく、付箋８の他端側が書籍等９から長くはみ出しているため、書籍等９の体裁が悪くなり、しかも、付箋８が脱落しやすいという問題点があった。
【０００５】
【特許文献１】
特開２００１−１８０１７１号公報
【０００６】
【発明が解決しようとする課題】
そこで、この発明は、上記の問題点を解決し、目的のページを素早く開くことができ、しかも書籍等からのはみ出し部分が少なく、体裁が良く、さらに、脱落しにくい付箋を提供することを課題とする。
【０００７】
【課題を解決するための手段】
前記課題を解決するため、この発明は次のような技術的手段を講じている。
【０００８】
この発明の付箋は、付箋本体１の一端側の裏面に剥離・再接着可能な感圧性接着剤層１ａが設けられているとともに、付箋本体１の他端側に厚肉部２が設けられているものとした。
【０００９】
この発明の付箋は、付箋本体１の他端側に設けられた厚肉部２が、書籍等４からはみ出すようにして書籍等４の印を付したいページに貼り付けて使用する。このとき、厚肉部２を設けた他端側は、書籍等４からわずかにはみ出させるだけでよく、また、指で付箋を押さえたときに厚肉部２の厚みにより、指先が厚肉部２によく引っ掛かる。
【００１０】
また、この発明の付箋は、前記厚肉部２に芯材５が挿入されているものとすることができる。これにより、指に引っ掛かったときにより確かな感触が得られるようにすることができる。
【００１１】
さらに、付箋本体１を透明とすることにより、付箋本体１を貼り付けた上から書籍等４の記載内容が透けて見えるようにすることができる。
【００１２】
また、付箋本体１の裏面のほぼ全体に感圧性接着剤層１ａを設けたものとすることができる。これにより、裏面全体が書籍等４にしっかりと貼り付くようにすることができる。
【００１３】
【発明の実施の形態】
この発明の実施の形態を、実施例として表した図１〜図９の図面に基づき説明する。
【００１４】
図１は、この発明の付箋の第１実施形態の斜視図である。
【００１５】
この発明の付箋は、付箋本体１の一端側の裏面に剥離・再接着可能な感圧性接着剤層１ａが設けられているとともに、付箋本体１の他端側に厚肉部２が設けられている。
【００１６】
以下にさらに詳しく説明する。
【００１７】
この実施形態における付箋本体１の正面視の輪郭形状は、従来から一般に市販されている付箋と同様、横長長方形とした一様な厚みの薄板状のもので、厚さを０．１ｍｍ程度としている。なお、付箋本体１の厚さは、従来の付箋と同程度でも、それより厚くすることも、薄くすることもできる。また、この実施形態では、付箋本体１の正面視の輪郭形状を横長長方形としているが、従来の付箋より横方向を短くする等、これに限らず任意の形状に変更して実施することができる。
【００１８】
付箋本体１の材料は、紙やプラスチックシートとすることができる。付箋本体１の厚みを比較的厚くする場合、軟質塩化ビニル、ポリウレタン等の比較的容易に曲がる軟質プラスチック材料より選択使用すれば良く、成形方法は任意である。
【００１９】
付箋本体１の一端側（図示左上側）の裏面に設けられている剥離・再接着可能な感圧性接着剤層１ａは、従来から一般に市販されている付箋に使用されている公知の接着剤を塗布することにより形成することができる。
【００２０】
付箋本体１の他端側（図示右下側）に設けられている厚肉部２は、表面側に隆起した断面略半円形の突条としている。厚肉部２は、付箋本体１と一体成形されるものとしても、付箋本体１とは別の材料で形成され付箋本体１に付加してなるものとしてもよい。例えば、付箋本体１の他端側に、細い厚紙等の小片を接着することにより、厚肉部２を形成したものとすることができる。
【００２１】
厚肉部２の形状は、指によく引っ掛かり、かつ不快な感触を与えないような、表面を曲面としたものとすることが望ましい。
【００２２】
この付箋は、図２に示したような、厚肉部２となる突条３を一定間隔で平行に形成した板を、各突条３の片側に沿って切断するとともに、突条３に直交するように一定間隔で切断することにより短冊状に形成し、大量に製造することが可能である。なお、図２において、切断する箇所を点線で示している。
【００２３】
この付箋を使用する場合は、図３に示したように、厚肉部２が書籍等４からはみ出すようにして、書籍等４の印を付したいページに貼り付ける。書籍等４を閉じると、図４に示したように、わずかに厚肉部２を設けた他端側が書籍等４からはみ出すだけであるため、体裁が悪くならず、しかも、感圧性接着剤層１ａを設けた領域が比較的小さくても脱落しにくい。
【００２４】
そして、図５に示したように、指で付箋を押さえると、指先が厚肉部２によく引っ掛かるので、付箋を指でつまむ必要がなく、目的のページを即座に開くことが可能である。特に、書籍等４のページを素早くめくる場合にも、厚肉部２がよく引っ掛かり、指を滑らせて目的のページを見失うことが防止される。
【００２５】
また、付箋本体１や厚肉部２に適宜の色を付して、複数の色違いの付箋からなるセットを構成し、色によって付箋を使い分けることにより、視覚的に識別しやすくすることもできる。
【００２６】
図６〜図９は、この発明の付箋の第２〜第５実施形態の斜視図である。
【００２７】
図６に示した第２実施形態の付箋紙は、厚肉部２に芯材５を挿入したものである。芯材５は、金属やプラスチック等適宜の剛性のある細い棒状の材料で形成されており、指に引っ掛かったときにより確かな感触が得られるようになっている。また、厚肉部２は芯材５により強度が増し、書籍等４からはみ出した厚肉部２が何かに接触した場合でも、変形することが防止される。
【００２８】
芯材５は、付箋本体１の他端側に巻き込まれたものとしたり、２枚のシートを貼り合わせて構成される付箋本体１の他端側に挟み込まれたものとしたりすることもできる。
【００２９】
なお、第１実施形態と同様に、他の実施形態も複数の色違いの付箋からなるセットを構成することができるが、第２実施形態の場合は、厚肉部２を透明にし、芯材５に適宜の色を付して、芯材５の色が外側から見えるようにすることにより、複数の色違いの付箋からなるセットを構成することができる。
【００３０】
図７に示した第３実施形態の付箋紙は、厚肉部２が他端側の裏面側に隆起した態様としたものである。この付箋紙は、従来の付箋紙と同様に、表面側全体がフラットになっており、表面の一端側から他端側までに筆記具で文字等を書き込むことができる。また、厚肉部２に芯材５を挿入することにより、第２実施形態と同様な効果が得られる。
【００３１】
図８に示した第４実施形態の付箋紙は、付箋本体１が透明で、その裏面のほぼ全体に感圧性接着剤層１ａを設けたものとしたものである。付箋本体１の厚みは０．１ｍｍ以下としている。付箋本体１としては、接着テープ状のものを使用することができる。この付箋は、付箋本体１の裏面全体で書籍等４にしっかりと貼り付く。また、付箋本体１を透明としているため、貼り付けた上から、書籍等４の記載内容が透けて見えるようになっている。
【００３２】
なお、感圧性接着剤層１ａが付箋本体１の他端にまで達していても、この付箋の使用にあたっては、厚肉部２を設けた他端側を書籍等４からわずかにはみ出させるだけでよいので、感圧性接着剤層１ａが書籍等４の目的のページ以外のものに接着して使用に支障が出るようなことは避けられる。また、他の実施形態においても、付箋本体１を透明としたり、付箋本体１の裏面のほぼ全体に感圧性接着剤層１ａを設けた構成としたりすることができる。
【００３３】
図９に示した第５実施形態の付箋紙は、付箋本体１の他端側に、筒状体６を取り付けて、これを厚肉部２としたものである。筒状体６は、プラスチック製の短いストロー状としており、付箋本体１の幅と同じ長さで、長尺方向の切れ目７を有しており、この切れ目７から付箋本体１を挿入し、付箋本体１の表裏両面と切れ目７の端面、付箋本体１の他端側の端面と筒状体６の内面とをそれぞれ接着することにより固定されている。筒状体６をプラスチック等の弾力性のある材料で作成することにより、軽量で弾力感のある厚肉部２を形成することができる。
【００３４】
【発明の効果】
この発明の付箋は、上述のような構成を有しており、付箋本体１の他端側に設けられた厚肉部２が書籍等４からはみ出すように書籍等４の印を付したいページに貼り付けて使用することにより、付箋を指でつまむことなく付箋の厚肉部２を指先で押さえるだけで目的のページを素早く開くことができる。さらに、付箋の端を書籍等４から長くはみ出させる必要がないため、書籍等４からのはみ出し部分を小さくすることができ、体裁を良くすることができる。しかも、付箋のはみ出し部分を小さくできるので、感圧性接着剤層１ａを設けた領域を比較的小さくしても脱落しにくいものとなっている。
【００３５】
また、前記厚肉部２に芯材５が挿入されているものとすることにより、指に引っ掛かったときにより確かな感触が得られ、使用しやすくなる。
【００３６】
さらに、付箋本体１を透明とすることにより、付箋本体１を貼り付けた上から書籍等４の記載内容が透けて見え、付箋を取り外さなくても記載内容を見ることが可能となる。
【００３７】
また、付箋本体１の裏面のほぼ全体に感圧性接着剤層１ａを設けたものとすることにより、裏面全体が書籍等４にしっかりと貼り付き、より脱落しにくいものとすることができる。
【図面の簡単な説明】
【図１】この発明の実施形態の付箋の斜視図。
【図２】この発明の実施形態の付箋の製造方法の説明図。
【図３】この発明の実施形態の付箋を書籍等に貼り付けた状態の説明図。
【図４】この発明の実施形態の付箋を貼り付けた書籍等を閉じた状態の説明図。
【図５】この発明の実施形態の付箋の厚肉部が指に引っ掛かっている状態の説明図。
【図６】この発明の第２実施形態の付箋の斜視図。
【図７】この発明の第３実施形態の付箋の斜視図。
【図８】この発明の第４実施形態の付箋の斜視図。
【図９】この発明の第５実施形態の付箋の斜視図。
【図１０】従来の付箋を書籍等に貼り付けた状態の説明図。
【符号の説明】
１  付箋本体
２  厚肉部
５  芯材
【図１】
2004154972.tif 000003
【図２】
2004154972.tif 000004
【図３】
2004154972.tif 000005
【図４】
2004154972.tif 000006
【図５】
2004154972.tif 000007
【図６】
2004154972.tif 000008
【図７】
2004154972.tif 000009
【図８】
2004154972.tif 000010
【図９】
2004154972.tif 000011
【図１０】
2004154972.tif 000012